(57)【要約】【課題】  簡単な構造で光源から供給される光の有効利用を可能にした折畳み式携帯情報端末を提供すること。【解決手段】  側壁面から導入した光を表裏両面へ導光する板状導光板１１と、前記導光板１１を間に挟んで積層された第１、第２液晶表示パネル１５、３０と、を有する表示部筐体５１と、少なくとも操作キー５２ｂを有する操作部筐体５２とを備え、前記表示部筐体５１と前記操作部筐体５２とが連結機構５３で結合されて折畳み可能とした折畳み式携帯情報端末５０において、折畳み時に前記操作キー５２ｂと対向する前記第1液晶表示パネル１５が透過型液晶表示パネルにより形成され、かつ前記操作部筐体５２は、前記第1液晶表示パネル１５と対向する面５２ａが鏡面加工されている。【選択図】        図５
2006101332.tif 000002
【特許請求の範囲】
【請求項１】
側壁面に設けられた光源から導入された光を表裏両面へ導光する板状導光板と、前記導光板を間に挟んで積層された第１、第２液晶表示パネルと、を有する表示部筐体と、少なくとも操作キーを有する操作部筐体とを備え、前記表示部筐体と前記操作部筐体とが連結機構で結合されて折畳み可能とした折畳み式携帯情報端末において、折畳み時に前記操作キーと対向する前記第1液晶表示パネルが透過型液晶表示パネルにより形成され、かつ前記操作部筐体は、前記第1液晶表示パネルと対向する面が鏡面加工されていることを特徴とする折畳み式携帯情報端末。
【請求項２】
前記表示筐体に設けられた導光板の前記第２液晶表示パネルが載置される面には、薄板状の補強フレームが設けられ、前記補強フレームは前記導光板と接触する側の面に鏡面加工が施されていることを特徴とする請求項１に記載の折畳み式携帯情報端末。
【請求項３】
前記鏡面加工は、前記操作キーの表面にも施されていることを特徴とする請求項１に記載の折畳み式携帯情報端末。
【請求項４】
前記板状導光板は、光が導入される側壁面を除く外周側壁面に反射層が形成されていることを特徴とする請求項１に記載の折畳み式携帯情報端末。
【請求項５】
折畳んで使用する場合には、電圧を印加しないノーマリーホワイトの透過型液晶表示パネルからなる第１液晶表示パネルを備えたことを特徴とする請求項１〜４の何れかに記載の携帯情報端末。
【発明の詳細な説明】
【技術分野】
【０００１】
本発明は折畳み式携帯情報端末に関し、特に、導光板の側壁に設けられた光源からの光の有効利用を図った折畳み式携帯情報端末に関する。
【背景技術】
【０００２】
近年、携帯電話機、ＰＤＡ、或いは通信機能を有すると共により多くのメッセージの表示を可能とした携帯型の情報端末が製品化され広く普及している。これらの端末の中で、特に携帯電話機は、本来の会話のやりとりをする電話機能に加えて、インターネットに接続可能にして、種々の機能、例えばメール、情報検索、或いは地図を表示すると共に、行き先案内をするナビゲーション等々の機能を備え、今後さらに多種のソフトウエアが搭載されて、日常生活に欠かせないものになってきている。
【０００３】
このような多種のソフトウエアが携帯電話機に搭載されるのに伴って、電話機自体、いわゆるハードも、より利便性、軽量化及び携帯性が追求され、多種のタイプのものが開発され製品化されている。
【０００４】
この携帯電話機のタイプは、大別すると棒状タイプと、折畳み式タイプとに大別され、最近では、折畳んだままで着信相手が確認でき、また時刻等が表示されるように液晶表示パネルを表裏２箇所に組み込んだ後者の折畳み式タイプが多く普及してきている。
【０００５】
また、この折畳み式の携帯電話機は、折畳んだときに嵩張りやすいので薄型化が図られ、この薄型化の一つの手段として、側壁面から導入した光を表裏両面へ導光する板状導光板を用い、この導光板の表裏面に２枚の第１、第２液晶表示パネルを配設して積層した液晶表示パネルユニット、いわゆる両面発光型液晶表示パネルを採用した携帯電話機が知られている。
【０００６】
ところが、この両面発光型液晶表示パネルは、両面発光する導光板の側壁面に一つ光源が配設され、この光源から第１、第２液晶表示パネルを照明するようになっているため、この１つの光源により、第１、第２液晶表示パネルを照明する際に、光源からの光量は、第１、第２液晶表示パネルに所定の割合で分配されるが、その分配量のバランスが不均衡になると、何れかの液晶表示パネルが光量不足となり、表示面の内容が視認できないという不都合が発生することがある。
【０００７】
このような不都合を解決した液晶表示装置は既に知られており、特許文献にも紹介されている（下記特許文献１、２参照）。
【０００８】
図６は、下記特許文献１に記載された液晶ディスプレイ付き折畳み式携帯電話機を示す斜視図である。
【０００９】
この携帯電話機６０は、２枚の透明板の間に液晶が封入された透過型液晶ディスプレイ６２を有する表示部筐体６１と、この表示部筐体６１に回動可能に連結され且つ複数のスイッチ６４が設けられた操作部筐体６３と、液晶ディスプレイ６２に画像を表示する動作及び液晶ディスプレイの一面及び他面に表示される画像を反転制御する表示制御手段（図示省略）とを備え、操作部筐体６３は、液晶ディスプレイ６２と対向する面６５の一部が反射面に形成された構成を有している。
【００１０】
この構成によると、表示部筐体６２と操作部筐体６３とが重なるように閉じられたとき、液晶ディスプレイ６２を透過した光が反射面に反射されて液晶ディスプレイ６２に向けて照射され、折畳み時にも光量不足が補われて液晶ディスプレイ６２の表示内容がはっきり視認できるようになる。
【００１１】
また、下記特許文献２に記載された液晶表示装置は、特殊な反射体を設けて光の利用率を上げるようにしたもので、図７は、この文献に記載された両面発光型液晶表示モジュールを示す側面図である。
【００１２】
この両面発光型液晶表示モジュール７０は、板状両面発光体７１と、この発光体７１の一面７１ａ側に配置された第１液晶表示パネル７２と、他面７１ｂに配置された第２液晶表示パネル７４と、半透過反射体７６とを備え、半透過型反射体７６は、他面７１ｂと第２液晶表示パネル７４との間に配設されて、他面７１ｂから発せられた光の一部を第１液晶表示パネル７２側に反射させるとともに、光の残部を白色光として第２液晶表示パネル７４側に透過させる働きをしている。なお、第１液晶表示パネル７２は、一対の対向基板７２ａ、７２ｂ間に液晶層７３が形成された構成を有し、同様に第２液晶表示パネル７４は一対の対向基板７４ａ、７４ｂ間に液晶層７５が形成された構成を有している。
【００１３】
このような両面発光型液晶表示モジュール７０では、第１液晶表示パネル７２側への光量が７０％未満であると、第１液晶表示パネル７２の表示が暗くなって好ましくなく、また、第１液晶表示パネル７２への光量が９０％を超えると、相対的に第２液晶表示パネル７４側への光量が少なくなって第２液晶表示パネル７４の表示が暗くなってしまうことから、板状両面発光体７１は、一面７１ａ側及び他面７１ｂ側に出射させる光のうち、７０％以上９０％以下の光量を一面７１ａ側から出射させるとともに、１０％以上３０％以下の光量を７１ｂ側から出射されるように調整されている。この光量調整は、半透過反射体７３の反射率の変更、或いは両面発光体７１の面を凹凸形状にすることによって行われている。
【特許文献１】特開２００２−３２００１２号公報（図３、段落〔００５２〕〜〔００５３〕）
【特許文献２】特開２００４−１４４９９０号公報（図１、段落〔００１７〕〜〔００２３〕）
【発明の開示】
【発明が解決しようとする課題】
【００１４】
しかしながら、上記特許文献１に記載された携帯電話機では、液晶ディスプレイは１枚の液晶表示パネルで構成されているため、この液晶表示パネル一面及び他面に表示される画像を反転制御させる表示制御手段が必要で回路構成が複雑になっている。
【００１５】
また、上記特許文献１に記載された両面発光型液晶モジュールは、特殊な半透過反射体を使用しなければならないので、その調達が面倒でコスト高になり、また、部品点数が多くなり組み立て作業が面倒になっている。
【００１６】
本発明は、上記従来技術が抱える課題を解決するためになされたものであって、本発明の目的は、簡単な構造で光源から供給される光の有効利用を可能にした折畳み式携帯情報端末を提供することにある。
【課題を解決するための手段】
【００１７】
上記目的を達成するために、本発明の請求項１に記載の折畳み式携帯情報端末は、側壁面に設けられた光源から導入された光を表裏両面へ導光する板状導光板と、前記導光板を間に挟んで積層された第１、第２液晶表示パネルと、を有する表示部筐体と、少なくとも操作キーを有する操作部筐体とを備え、前記表示部筐体と前記操作部筐体とが連結機構で結合されて折畳み可能とした折畳み式携帯情報端末において、折畳み時に前記操作キーと対向する前記第1液晶表示パネルが透過型液晶表示パネルにより形成され、かつ前記操作部筐体は、前記第1液晶表示パネルと対向する面が鏡面加工されていることを特徴とする。
【００１８】
また、請求項２に記載の発明は、請求項１に記載の折畳み式液晶表示装置に係り、前記表示筐体に設けられた導光板の前記第２液晶表示パネルが載置される面には、薄板状の補強フレームが設けられ、前記補強フレームは前記導光板と接触する側の面に鏡面加工が施されていることを特徴とする。
【００１９】
また、請求項３に記載の発明は、請求項１に記載の折畳み式液晶表示装置に係り、前記鏡面加工は、前記操作キーの表面にも施されていることを特徴とする。
【００２０】
また、請求項４に記載の発明は、請求項１に記載の折畳み式液晶表示装置に係り、前記板状導光板は、光が導入される側壁面を除く外周側壁面に反射層が形成されていることを特徴とする。
【００２１】
また、請求項５に記載の発明は、折畳んで使用する場合には、電圧を印加しないノーマリーホワイトの透過型液晶表示パネルからなる第１液晶表示パネルを備えたことを特徴とする。
【発明の効果】
【００２２】
本発明は上記構成を備えることにより以下に示すような効果を得ることができる。すなわち、請求項１に記載の発明によれば、操作部筐体は、第1液晶表示パネルと対向する筐体面に鏡面加工が施されているので、光源から発光された光は、この鏡面加工された筐体面に反射し、この反射した光が透過型液晶表示パネルを通過して他の液晶表示パネルを照射し、この表示パネルの輝度を向上させることができるようになる。
【００２３】
例えば、この携帯情報端末が折畳み式携帯電話機である場合、通常、第１、第２液晶表示パネルは、主及び副液晶表示パネル、すなわち、折畳み時に操作キーと対向し、操作キーの操作に連動してその内容を表示する主液晶表示パネル（第１液晶表示パネル）と、主に時刻或いは着信を表示する副液晶表示パネル（第２液晶表示パネル）として使用されることから、折畳み時に携帯電話機の操作キーと対向する主液晶表示パネルに透過型液晶表示パネルを用いることにより、この液晶表示パネルに電圧が印加されていないときは、光が透過可能となる。したがって、導光板の側壁面から照射され、鏡面加工が施された操作筐体の面に反射された光は、この主液晶表示パネルを通過し、副液晶表示パネルを照射し、その結果、副液晶表示パネルの輝度不足が解消され表示画面に表示されている内容をはっきり視認することが可能になる。
【００２４】
また、この副液晶表示パネルの輝度不足解消は、上述のように操作部筐体に鏡面加工を施すことで可能になるので、従来技術のように、半透過反射体のような特別な反射体が不要となり簡単に作製できる。さらに、２枚の液晶表示パネルを用いているので、従来技術のように画像反転させる制御手段が不要になる。
【００２５】
請求項２に記載の発明によれば、薄板状の補強フレームを導光板と第２液晶表示パネルとの間に介在して第１液晶表示パネル、導光板及び第２液晶表示パネルを積層することにより、第１、第２液晶表示パネル及び導光板を薄くしても、この補強フレームで機械的な補強をしながら支持できるので、補強フレームを追加しても、導光板及び第１、第２液晶表示パネルの厚さを薄くでき、全体として液晶表示装置の薄型化が可能となる。
【００２６】
また、補強フレームは、導光板と接触する側の面に鏡面加工が施されているので、この面に反射された光により第１液晶表示パネルを照射でき、供給された光を有効に利用し第１液晶表示パネルの輝度を向上させることができる。
【００２７】
請求項３に記載の発明によれば、操作キー表面にも鏡面加工が施されるので、反射面が拡大し、第２液晶表示パネルの表示面をより明るくすることができる。
【００２８】
請求項４に記載の発明によれば、板状導光板は、光が導入される側壁面を除く外周側壁面に反射層が形成されているので、この反射層から反射された光で第１、第２液晶表示パネルが照射され、光源からの光を有効利用して第１、第２液晶表示パネルの輝度を上げることができる。
【００２９】
請求項５に記載の発明によれば、各ハウジングを折畳んで使用する場合は、第１液晶表示パネルはハウジングに挟まれて見えないため、通常は第２液晶表示パネルのみ使用する。このとき第１液晶表示パネルは視認できる状態ではないので、電圧が印加されておらず、よって、ノーマリーホワイトの透過型液晶表示パネルからなる第１液晶表示パネルは光を透過する状態となっている。この場合、導光板の側壁面に設けられた光源から導出した光は、導光板を介して両液晶表示パネルに照射され、かつ前記第１液晶表示パネルへ照射された光は、鏡面加工された操作面、すなわち下部ハウジングの上面及び入力キーにより第２液晶表示パネル側に反射し、これにより第２液晶表示パネルは高輝度に照射されるようになる。
【発明を実施するための最良の形態】
【００３０】
以下、図面を参照して本発明の最良の実施形態を説明する。但し、以下に示す実施形態は、本発明の技術思想を具体化するための折畳み式携帯情報端末を例示するものであって、本発明をこの折畳み式携帯情報端末に特定することを意図するものではなく、特許請求の範囲に含まれるその他の実施形態のものも等しく適応し得るものである。
【実施例】
【００３１】
図１は本発明の１実施例に係る折畳み式携帯情報端末に使用される液晶表示装置を分解した分解斜視図、図２は図１の液晶表示装置組立体を示し、図２（ａ）は平面図、図２（ｂ）は図２（ａ）のＡ−Ａ線で切断した断面図、図３は液晶表示装置に搭載される回路基板を示し、図３（ａ）は表面斜視図、図３（ｂ）は裏面斜視図、図４は液晶表示装置に搭載される板金フレームを示し、図４（ａ）は表面斜視図、図４（ｂ）は裏面斜視図、図５は液晶表示装置が組み込まれる折畳み式携帯電話機を示し、図５（Ａ）は電話機を開いた状態で一方から見た斜視図、図５（Ｂ）は他方から見た斜視図である。ちなみに、図３、図４に示す回路基板及び板金フレームの表裏は、第１液晶表示パネルが設けられる面を表面とし、第２液晶表示パネルが設けられる面を裏面として説明している。
【００３２】
本発明の折畳み式携帯情報端末に使用される液晶表示装置１０は、表裏の両面へ光をそれぞれ導出する導光板１１と、この導光板１１の表面１１ａ側に配設される第１液晶表示パネル１５と、導光板１１の裏面１１ｂ側に配設される第１液晶表示パネル１５より小型の第２液晶表示パネル３０とを備え、導光板１１の裏面１１ｂに、導光板１１とほぼ同じ大きさを有し且つ第２液晶表示パネル３０の表示面とほぼ同じ大きさの開口２６を有する薄板状の板金フレーム２５を接触させて、第１液晶表示パネル１５、導光板１１及び第２液晶表示パネル３０を積層し、この積層体を本体カバー４０で覆って、この本体カバー４０に設けた開口４２から第２液晶表示パネル３０の表面が露出するようにした固定した構成を有する。
【００３３】
導光板１１は、図１、図２に示すように、肉薄の板状体からなり、光源１４から出光する光をその一端部１１ｃから内部へ導入し、導光板１１の表面１１ａ側（第１液晶表示パネル１５側）及び裏面１１ｂ側（第２液晶表示パネル３０側）へ導出させるものであって、透明材料で形成される。透明材料には、例えば、アクリル樹脂材が使用される。また、その肉厚は０．６ｍｍ程度が好ましく、また、光源１４が取り付けられた一端部１１ｃ以外の側壁面には、反射層が塗布されている。この反射層は導光板１１を介して供給される光を両液晶表示パネル１５、３０が設けられている面以外から漏れないように設けられたものである。そして、この導光板１１は、額縁状の枠体１２に嵌め込まれる。
【００３４】
この導光板１１が嵌め込まれる額縁状の枠体１２は、図１、図２（ｂ）に示すように、矩形状をなし所定の幅及び高さを有する枠片１２ａ〜１２ｄからなり、第１液晶表示パネル１５、導光板１１、光学シート１７ａ、１７ｂ及び光源１４を収容できる大きさを有している。
【００３５】
これらの枠片１２ａ〜１２ｄのうち、対向する長辺の枠片１２ｃ、１２ｄを導光板１１より長く延ばし、その先端に枠片１２ａを設け、枠体１２に導光板１１を嵌め込んだとき、枠片１２ａと導光板１１との間に隙間１２ａ’が形成されるようにする。この隙間１２ａ’には、液晶表示パネルの組立て時に、光源１４が挿入される。
【００３６】
この額縁状の枠体１２には、第１液晶表示パネル１５、光学シート１７ａ、１７ｂ及び導光板１１が嵌め込まれる。このように各部品を枠体１２内に嵌め込むことにより、一つの組立体が形成される。したがって、次工程での液晶表示パネルの組立てが簡単になる。      
【００３７】
また、第１液晶表示パネル１５を固定する部材が不要で且つ液晶表示パネルの組立てが簡単になると共に、機械的強度を強くすることができる。
【００３８】
光源１４は、複数個のＬＥＤ（Light Emitting Diode）１３ａが細長の基板１３に一列に配列して取付けられ、この基板に接続された配線１３ｂを通して電力が供給される。なお、ここでは光源をＬＥＤとして説明したがこれに限定されることなく、例えば、蛍光ランプ等を用いてもよい。
【００３９】
第１液晶表示パネル１５には透過型液晶表示パネルが用いられる。この液晶表示パネル１５は、図２（ｂ）に示すように、２枚の対向するガラスからなる第１、第２基板１５ａ、１５ｂとの間にシール材を介して液晶１５ｃが封入され一体に貼り合わせた構成を有する。各基板１５ａ、１５ｂのうち、第２基板１５ｂは、各基板を貼り合わせたとき、第２基板１５ｂの端部が第１基板１５ａの端縁より突出するように第１基板１５ａより長いものを使用する。そして、この突出部１５ｂ’の裏面には光源１４が貼付される。なお、ここで使用する透過型液晶表示パネルは、既に公知のものを使用するので、詳細な説明は省略する。
【００４０】
また、第１液晶表示パネル１５の表裏面には、それぞれ偏向板１６ａ、１６ｂが配設され、この液晶表示パネル１５と導光板１１との間には、光拡散シート、プリズムシート等からなる光学シート１７ａが配設される。
【００４１】
第１液晶表示パネル１５は、その一端に回路基板１８が接続される。この回路基板１８は、１枚の可撓性を有するフレキシブル基板（ＦＰＣ；Flexible Printed Circuit）上にグラフィックコントローラ、光源（ＬＥＤ）ドライバー及び液晶を駆動する半導体素子等が搭載されたもので、図３に示すように、第１液晶表示パネル１５とほぼ同じ大きさを有する制御基板１９と、この制御基板１９と第１液晶表示パネル１５とを接続する接続部２０とで構成されている。また、この回路基板１８は組立て時に接続部２０から折り畳めるようになっている。
【００４２】
回路基板１８の表面１９ｂ（図３（ａ）参照）、すなわち、板金フレーム２５の裏面２５ｂ（図４（ｂ）参照）と接触する面には、複数個のアース用接触部２２ｂが設けられており、これらのアース用接触部２２ｂは基板の外周囲付近に設けられている。
【００４３】
また、回路基板１８の裏面１９ａには、その開口２１の周囲に液晶を駆動させる半導体素子２３ａ及び外部回路接続用のコネクタ２３ｂ等が取付けられ、さらに、アース用接触部２２ａが複数個設けられる。これらのアース用接触部２２ａは基板表面のアース用接触部２２ｂに連結しており、これらのアース用接触部２２ａ、２２ｂは、導電性粘着剤の塗布或いは導電性接着テープを貼付することにより形成される。
【００４４】
第２液晶表示パネル３０には半透過型或いは透過型液晶表示パネルが使用される。この第２液晶表示パネル３０は、液晶層を挟持して対向するガラスなどからなる第１基板３０ａ及び第２基板３０ｂをシール材で接合し一体化して構成され、第２基板３０ｂが表示面となっている。
【００４５】
この液晶表示パネル３０には、フレキシブル基板３１が接続され、この基板３１の他端は、コネクタを介して回路基板１８に接続される。
【００４６】
板金フレーム２５は、額縁状の枠体１２とほぼ同じ大きさを有し、その表面に第２液晶表示パネル３０の表示面とほぼ同じ大きさの開口２６と、外周囲の端縁に複数個の係止片２７ａとを有し、肉薄の金属材、例えばアルミで形成され、その板厚は、０．２ｍｍ程度が好ましい。
【００４７】
この板金フレーム２５は、その一面２５ａ、すなわち導光板１１と接する面に鏡面加工が施される。鏡面加工は、例えば研磨、蒸着、スパッタ、或いは金属材、例えばアルミニウムを含む塗料材の塗布によって行われる。この面に鏡面加工を施すことにより、導光板１１へ導入された光の一部がこの面で反射され第１液晶表示パネル１５を照射するようになり、これにより光源１４から供給される光の効率的な利用が可能となる。
【００４８】
また、板金フレーム２５の裏面２５ｂ、すなわち第２液晶表示パネル３０が装着される面には、その開口２６の周縁の３辺に、表面から突出する複数個の突起片２９ａ、２９ｂ、２９ｃが形成される。これらの突起片２９ａ、２９ｂ、２９ｃは、第２液晶表示パネル３０の外周囲面と接触し第２液晶表示パネル３０を位置決めする。第２液晶表示パネル３０及びこの第２液晶表示パネル３０の裏面に設けられる光学シート（図示省略）の固定は、これらの突起片２９ａ、２９ｂ、２９ｃと後述するカバー４０とによって行われる。
【００４９】
すなわち、第２液晶表示パネル３０及びこの第２液晶表示パネル３０の裏面に設けられる光学シートは、これらの突起片２９ａ、２９ｂ、２９ｃの三方で位置決めし、カバー４０で覆い、カバー４０に設けられた開口４２の周辺に第２液晶表示パネル３０の外周囲を押し当てて固定する。この方法によると、このパネル３０等を固定する専用の枠体は不要になり、組立て作業も簡単になる。
【００５０】
図４（ｂ）に示すように、板金フレーム２５の裏面２５ｂには、その外周端部に複数個のアース用接触部２５ｂ’が形成され、この電極２５ｂ’及び開口２６を除く部分に両面接着テープＴが貼着される。また、各アース用接触部２５ｂ’には、導電性接着剤の塗布或いは導電性接着テープが貼付されることにより形成される。
【００５１】
板金フレーム２５の裏面２５ｂに両面接着テープＴが貼付され、アース用接触部２５ｂ’に導電性接着剤が塗布されると、液晶表示パネルの組立て時に、回路基板１８が両面接着テープＴの一面に貼付されると共に、導電性接着剤に回路基板１８のアース用接触部２２ｂが貼着される。
【００５２】
したがって、回路基板１８が板金フレーム２５にしっかり固定され、また、各アース用接触部２２ｂが確実に接続される。
【００５３】
このように金属材からなる板金フレーム２５を用いることにより、所定の機械的強度が保持され、この板金フレーム２５を導光板１１に接触させて、これらを機械的に補強しながら支持できる。この板金フレーム２５は、肉薄でも所定の機械的強度を保持できるので、この部品を追加し、導光板及び第１、第２液晶表示パネルの厚さを薄くしても、全体として液晶表示装置１０の薄型化が可能になる。また、この板金フレーム２５は、このフレーム２５と導光板１１との間に介在する光学シートに接触させることにより、光学シートの皺を伸ばし、皺の発生を防止する機能を有する。さらに、板金フレーム２５は、導電体であることから、回路基板１８と後述する本体カバー４０との間で良好な電気的接続回路が形成でき、この回路接続を通してアース接続ができる。
【００５４】
なお、この板金フレーム２５は、金属材に限定されず所定の強度を保有する樹脂材等からなるシート材でもよい。
【００５５】
カバー４０は、図１、図２に示すように、第１液晶表示パネル１５、導光板１１、板金フレーム２５及び第２液晶表示パネル３０等が積層された後に、第２液晶表示パネル３０側からこの積層体を覆うカバーであって、浅底で外周囲に背低の側板４１ａ〜４１ｄを有する箱型をなし、同一の平坦面をなす高さの底板４１ｆ・４１ｇに第２液晶表示パネル３０の表示面を露出させる大きさの開口４２及び回路基板１８に設けられたコネクタ２３ｂを露出される複数個の開口４３を有し、金属材で形成される。底板４１ｆ・４１ｇは、回路基板１８のアース用接触部２２ａと接触する部分を内側へ突出させて突出部（図示省略）を形成し、組立て時にアース用接触部２２ａとの接触を良好にするのが好ましい。また、金属材には、ステンレス材が好ましいが、ステンレス材に限定されず、他の金属材、或いは樹脂材でもよい。
【００５６】
以下に、両面発光型導光板を備えた液晶表示装置の組立てを説明する。
【００５７】
先ず、額縁状の枠体１２に導光板１１を嵌め込み、嵌め込んだ導光板の一面１１ａに１枚ないし複数枚の光学シート１７ａを載置し、更にこの光学シート１７ａの上から第１液晶表示パネル１５を枠体１２に嵌め込む。また、導光板１１の他面１１ｂも、同様にして１枚ないし複数枚の光学シート１７ｂを載置し、この光学シート１７ｂの上に第２液晶表示パネル３０の表示面を露出させる開口を有する遮光シート（図示省略）を貼付する。
【００５８】
この遮光シートは、小型の第２液晶表示パネル３０の外周囲へ導光板１１からの光が照射されるのを遮光する。また、額縁状の枠体１２に、第１液晶表示パネル１５、光学シート１７ａ、１７ｂ及び導光板１１を嵌め込むことにより、これらの部品が枠体１２内に収まり、一つの組立体が形成されるので、次工程での液晶表示パネルの組立てが簡単になる。また、第１液晶表示パネルを固定する部材が不要で且つ液晶表示パネルの組立てが簡単になると共に、機械的強度を強くすることができる。
【００５９】
次いで、この組立体の遮光シートの裏面に板金フレーム２５を接触させて、板金フレーム２５の係止片２７ａを枠体１２の係止突起１２ｅに係合させて固定する。
【００６０】
また、板金フレーム２５には、予め、両面接着テープＴを貼付すると共に、アース用接触部２５ｂ’に導電性接着剤を塗布しておき、またこの開口２６周辺の突起片２９ａ〜２９ｃの間に第２液晶表示パネルを挟み込む。
【００６１】
その後、回路基板１８を両面接着テープＴの一面に貼付すると共に、回路基板１８のアース用接触部２２ｂを導電性接着剤を介して板金フレーム２５のアース用接触部２５ｂ’と電気的に接続をする。
【００６２】
このようにして組立てた組立体に、第２液晶表示パネル３０側からカバー４０で覆い、このカバー４０の係止穴４１ｅを枠体１２の係止突起１２ｆに係止して、両面発光型導光板を備えた液晶表示装置１０を組立てる。上述のようにカバー４０で組立体を覆うことにより、カバー４０に設けられた開口から回路基板１８のコネクタ２３ｂが露出され、他の機器への接続はこのコネクタ２３ｂを介して行われる。また、回路基板１８のアース用接触部２２ａは、カバー４０の内壁面に電気的に接続させる。
【００６３】
この組み立てにより、回路基板１８のアース用接触部２２ａ、２２ｂは、板金フレーム２５のアース用接触部２５ｂ’及びカバー４０に電気的に接続されるので、ノイズの発生を抑制できる。しかも、第１、第２液晶表示パネル１５、３０及び回路基板１８が前記カバーで覆われるので、全体がシールドされ電磁波の影響を少なくできる。
【００６４】
このようにして組立てた液晶表示装置は、携帯端末、例えば携帯電話機に搭載される。
【００６５】
図５は液晶表示装置が組み込まれる折畳み式携帯電話機を示し、図５（Ａ）は電話機を開いた状態で一方から見た斜視図、図５（Ｂ）は他方から見た斜視図である。
【００６６】
この折畳み式携帯電話機５０は、図５（Ａ）、図５（Ｂ）に示すように、上部ハウジング５１と下部ハウジング５２とがヒンジ機構５３によって開閉自在に連結されている。
【００６７】
上部ハウジング５１には、液晶表示装置１０が組み込まれており、下部ハウジング５２の操作面５２ａには、ダイヤル操作等を行うための入力キー５２ｂが所定数設けられ、この操作面５２ａ、すなわち下部ハウジング５１の上面及び入力キー５２ｂに鏡面加工が施される。この鏡面加工は、金属材、例えばアルミニウムを含む塗料を塗布することにより行われる。
【００６８】
この液晶表示装置１０が搭載された携帯電話機５０において、各ハウジング５１、５２が開いた状態で使用される際には、通常第１液晶表示パネル１５を使用するが、このとき光源１４から導出した光は導光板１１を介して両液晶表示パネル１５、３０に照射され、かつ板金フレーム２５の鏡面加工が施された面２５ａに照射された光は、第１液晶表示パネル１５側へ反射し、第１液晶表示パネル１５に照射されるようになるため、第１液晶表示パネル１５を高輝度とすることができる。
【００６９】
また、各ハウジング５１、５２を折畳んで使用する場合は、第１液晶表示パネル１５はハウジング５１、５２に挟まれて見えないため、通常は第２液晶表示パネル３０を使用する。このとき第１液晶表示パネル１５は視認できる状態ではないので、電圧が印加されておらず、よって、ノーマリーホワイトの透過型液晶表示パネルからなる第１液晶表示パネル１５は光を透過する状態となっている。この場合、導光板１１の側壁面に設けられた光源１４から導出した光は、導光板１１を介して両液晶表示パネル１５、３０に照射され、かつ前記第１液晶表示パネル１５へ照射された光は、鏡面加工された操作面５２ａ、すなわち下部ハウジング５１の上面及び入力キー５２ｂにより第２液晶表示パネル３０側に反射し、これにより第２液晶表示パネル３０は高輝度に照射されるようになる。
【００７０】
ただし、電圧印加により多少の電力消費はあるが、第１液晶表示パネルをノーマリーブラックの透過型液晶表示パネルとしてもよい。
【００７１】
上述のように、本発明の折畳み式携帯情報端末によれば、開いた状態及び折畳んだ状態での使用に際しても、低消費電力で、両液晶表示パネルを高輝度に保つことができ、更に各液晶表示パネルの輝度の向上を操作筐体に鏡面加工を施したのみで達成できるので、安価に液晶表示パネルの輝度を向上させることができるようになる。
【００７２】
また、液晶表示装置１０は上述の構成により薄型化が実現されているので、この液晶表示装置１０を搭載した携帯電話機も薄型化することができる。なお、この液晶表示装置１０を搭載する機器は、携帯電話機に限定されず、他の携帯情報端末、例えばＰＤＡ等にも搭載することができる。
【図面の簡単な説明】
【００７３】
【図１】図１は本発明の１実施例に係る液晶表示装置を分解した分解斜視図、
【図２】図２は図１の液晶表示装置組立体を示し、図２（ａ）は平面図、図２（ｂ）は図２（ａ）のＡ−Ａ線で切断した断面図、
【図３】図３は本発明の液晶表示装置に搭載される回路基板を示し、図３（ａ）は表面斜視図、図３（ｂ）は裏面斜視図、
【図４】図４は本発明の液晶表示装置に搭載される板金フレームを示し、図４（ａ）は表面斜視図、図４（ｂ）は裏面斜視図、
【図５】図５は折畳み式携帯電話機を示す図であり、図５（Ａ）は電話機を開いた状態で一方から見た斜視図、図５（Ｂ）は他方から見た斜視図、
【図６】図６は従来技術の折畳み式携帯電話機を示す斜視図、
【図７】図７は従来技術の液晶表示モジュールを示す側面図である。
【符号の説明】
【００７４】
１０    液晶表示装置
１１    導光板
１２    枠体
１４    光源
１５    第１液晶表示パネル
１８    回路基板
２５    板金フレーム（補強フレーム）
３０    第２液晶表示パネル
４０    カバー
５０    折畳み式携帯電話
５１    上部ハウジング
５２    下部ハウジング
【図１】
2006101332.tif 000003
【図２】
2006101332.tif 000004
【図３】
2006101332.tif 000005
【図４】
2006101332.tif 000006
【図５】
2006101332.tif 000007
【図６】
2006101332.tif 000008
【図７】
2006101332.tif 000009